(57)【特許請求の範囲】
【請求項１】
第１電極、前記第１電極上に配置された有機ＥＬ発光層、前記有機ＥＬ発光層上に前記有機ＥＬ発光層に接して配置された能動的調光層、前記能動的調光層上に配置された第２電極を含む有機ＥＬ発光素子をそれぞれ有する複数の画素を備えることを特徴とする有機ＥＬ表示装置。
【請求項２】
前記複数の画素において、前記有機ＥＬ発光層を発光させるときに、前記能動的調光層の光透過率を可逆的に大きくすることを特徴とする請求項１に記載の有機ＥＬ表示装置。
【請求項３】
前記有機ＥＬ発光素子は、前記有機ＥＬ発光層の発光開始電圧よりも前記能動的調光層の光透過率の変化が生じるしきい値電圧の方が小さいことを特徴とする請求項１又は２に記載の有機ＥＬ表示装置。
【請求項４】
前記能動的調光層は、エレクトロクロミック材料を用いたエレクトロクロミック層、エレクトロウェッティング材料を用いたエレクトロウェッティング層、調光ミラー層、又は液晶材料を用いた液晶層であることを特徴とする請求項１乃至３の何れか一に記載の有機ＥＬ表示装置。
【発明の詳細な説明】
【技術分野】
【０００１】
本発明は、有機ＥＬ（有機エレクトロルミネッセンス）表示装置に関する。
【背景技術】
【０００２】
近年、有機エレクトロルミネッセンス材料を表示部の発光素子に用いた有機エレクトロルミネッセンス表示装置（Organic Electroluminescence Display：有機ＥＬ表示装置）の開発が盛んになってきている。有機ＥＬ表示装置は、液晶表示装置等とは異なり、有機ＥＬ材料を発光させることにより表示を実現するいわゆる自発光型の表示装置である。
【０００３】
従来の透過型有機ＥＬ表示装置においては、黒色の表示は有機ＥＬ発光素子を非点灯にすることにより行なっている。しかしながら、有機ＥＬ素子の非点灯状態においては、背面の環境光をそのまま透過してしまっており、環境光の影響により黒色の表示を行うことができない。その結果、コントラストが下がり、本来表示したい映像を忠実に再現することができない。
【０００４】
有機ＥＬ表示装置の背面にフォトクロミック（photochromic）層を組み合わせることによって発光の視認性を向上させる技術がある（特許文献１）。特許文献１には、有機ＥＬ層の背面にフォトクロミック材料層を配することにより、有機ＥＬ素子が強い外光に晒された場合に背面を着色することによって、有機ＥＬ発光素子によるＥＬ光の視認性を向上させる技術が開示されている。これは、自動車のダッシュボードに設置する計器類などへの利用を想定した技術である。
【先行技術文献】
【特許文献】
【０００５】
【特許文献１】特開平８−７８１６５号公報
【発明の概要】
【発明が解決しようとする課題】
【０００６】
しかしながら、特許文献１に開示されている技術においては、表示装置の背面全体にしか遮光状態を作ることができない。また、遮光状態を作るのに強い外光が必要であり、フォトクロミック材料変色の速度が遅いことなどから、今後モバイル用途や広告用途などの需要も見込まれる透明ディスプレイの商品化に活用できる程度の十分な視認性が得られる水準ではない。さらに、フォトクロミック現象の変色の原理や反応速度の観点から、当該技術は表示装置における黒色表現の問題解決には利用できない。
【０００７】
そこで、本発明は上述したような課題を鑑みてなされたものであり、本発明は、環境光の影響を除去又は少なくすることによって鮮明な黒色表示を行うことができ、コントラストが高い有機ＥＬ表示装置を実現することを課題とする。
【課題を解決するための手段】
【０００８】
本発明の一実施形態によると、有機ＥＬ発光層、前記有機ＥＬ発光層上に配置された能動的調光層をそれぞれ有する複数の画素を備えることを特徴とする有機ＥＬ表示装置が提供される。
【０００９】
また、前記複数の画素において、前記有機ＥＬ発光層を発光させるときに、前記能動的調光層の光透過率を可逆的に小さくする。
【００１０】
また、第１の電極上に前記有機ＥＬ発光層、前記有機ＥＬ発光層上に第２の電極、前記第２の電極上に前記能動的調光層、前記能動的調光層上に第３の電極を有するようにしてもよい。こうすることによって、有機ＥＬ発光層と能動的調光層とを一体として制御することができる。
【００１１】
第１の電極上に前記有機ＥＬ発光層、前記有機ＥＬ発光層上に第２の電極、前記第２の電極上に絶縁膜、前記絶縁膜の上に第３の電極、前記第３の電極上に前記能動的調光層、前記能動的調光層上に第４の電極を有するようにしてもよい。また、前記第１の電極、前記第２の電極、前記第３の電極及び前記第４の電極が独立して制御可能であるようにしてもよい。こうすることによって、有機ＥＬ発光層と能動的調光層とを独立して制御することができる。
【００１２】
前記能動的調光層は、エレクトロクロミック材料を用いたエレクトロクロミック層、エレクトロウェッティング材料を用いたエレクトロウェッティング層、調光ミラー層、又は液晶材料を用いた液晶層であってもよい。
【発明の効果】
【００１３】
本発明によれば、環境光の影響を除去又は少なくすることによって鮮明な黒色表示を行うことができ、映像再現力が向上し、コントラストが高い透過型有機ＥＬ表示装置を実現することができる。よって、本発明によると、従来表現が困難だった頭髪や陰影などをより鮮明に表示することが可能となる。また、本発明によると、環境光に依存しない高い視認性を有する映像表示が可能となる。また、本発明によると、透過型有機ＥＬ表示装置において、映像が見えるディスプレイ面を両面の場合と片面のみの場合とを選択することができ、ディスプレイの表示方向選択性が実現できる。
【図面の簡単な説明】
【００１４】
【図１】実施形態１に係る本発明の有機ＥＬ表示装置１００における有機ＥＬ素子１０４の概略構成を示す図である。
【図２】実施形態１に係る本発明の有機ＥＬ表示装置１００の有機ＥＬ発光素子１０４の動作を説明する図である。
【図３】実施形態１に係る本発明の有機ＥＬ表示装置１００の概略構成を説明する図である。
【図４】実施形態１に係る本発明の有機ＥＬ表示装置１００の画素ＰＩＸの構成を説明する図である。
【図５】実施形態２に係る本発明の有機ＥＬ表示装置２００における有機ＥＬ素子２０４の概略構成を示す図である。
【図６】実施形態２に係る本発明の有機ＥＬ表示装置２００の有機ＥＬ発光素子２０４の動作を説明する図である。
【図７】実施形態２に係る本発明の有機ＥＬ表示装置２００の概略構成を説明する図である。
【図８】実施形態２に係る本発明の有機ＥＬ表示装置２００の画素ＰＩＸの構成を説明する図である。
【発明を実施するための形態】
【００１５】
以下、本発明の実施形態に係る有機ＥＬ表示装置について、図面を参照しながら詳細に説明する。なお、以下に示す実施形態は本発明の実施形態の一例であって、本発明はこれらの実施形態に限定されるものではない。
【００１６】
（実施形態１）
本発明の実施形態１に係る有機ＥＬ表示装置について、図面を参照しながら詳細に説明する。
【００１７】
図１を用いて本発明の一実施形態に係る有機ＥＬ表示装置の動作原理について説明する。図１には、本発明の一実施形態に係る有機ＥＬ表示装置１００における有機ＥＬ素子１０４の概略構成が示されている。なお、説明の便宜上、図１には、本発明の一実施形態に係る有機ＥＬ表示装置１００の構成の一部を示している。
【００１８】
図１に示すとおり、本実施形態に係る本発明の有機ＥＬ表示装置１００は、複数の有機ＥＬ素子１０４及び基板１０２を有している。有機ＥＬ素子１０４は、それぞれ、電極１０４ａ、有機ＥＬ発光層１０４ｂ、能動的調光層１０４ｃ及び電極１０４ｄを有している。本実施形態においては、電極１０４ｄは複数の有機ＥＬ素子１０４において共通である。なお、電極１０４ａ、有機ＥＬ発光層１０４ｂ及び電極１０４ｄを含む素子を有機ＥＬ発光素子とし、電極１０４a、能動的調光層１０４ｃ及び電極１０４ｄを含む素子を能動的調光素子と表現してもよい。
【００１９】
有機ＥＬ素子１０４の電極１０４ａ及び電極１０４ｄに電圧が印加され、有機ＥＬ発光層１０４ｂ中に注入された電子と正孔の再結合によって生じた励起子によって発光が生じる。能動的調光層１０４ｃは、外部からの電場によって光透過率が可逆的に変化する機能を有する層である。能動的調光層１０４ｃとしては、エレクトロクロミック材料（electrochromic）を用いたエレクトロクロミック層、エレクトロウェッティング材料（electro wetting）を用いたエレクトロウェッティング層、調光ミラー層、又は液晶材料を用いた液晶層を用いることができる。エレクトロクロミック材料としては、ポリアニリン、ポリエチレンテレフタレート誘導体、プルシアニンブルー誘導体、hexaarylethane誘導体、酸化タングステン、4,4′-biphenyl dicarboxylicacid diethyl ester、1,4-bis(2,2′:6′,2″-terpyridine-4-yl)benzeneの金属イオン錯体、及びそれらの複合体などを用いることができる。なお、本実施形態においては、能動的調光層１０４ｃとして上述した層を用いる例を挙げたが、外部からの電場によって光透過率が変化する機能を有する層であればその他如何なる材料を用いてもよく、これらに限定されるわけではない。また、本実施形態においては、能動的調光層１０４ｃはノーマリブラックモード、すなわち、能動的調光層１０４ｃに電圧が印加されないときに、光透過率が低くなるようなモードを採用している。一方、能動的調光層１０４ｃはノーマリホワイトモード、すなわち、能動的調光層１０４ｃに電圧が印加されるときに、光透過率が低くなるようなモードを採用してもよい。
【００２０】
また、本実施形態においては、外部から電場を印加し、電流を流すことによって光透過率を変化させる能動的調光層１０４を用いている。よって、本実施形態の能動的調光層１０４ｃの例としては、エレクトロクロミック材料（electrochromic）を用いたエレクトロクロミック層、調光ミラー層等を用いるようにしてもよい。
【００２１】
図１（Ａ）は、黒以外の表示を行う場合、すなわち、有機ＥＬ発光層１０４ｂを発光させ、所望の色表示を行う場合の動作状態を示している。有機ＥＬ素子１０４の電極１０４ａ及び電極１０４ｄに電圧が印加され、有機ＥＬ発光層中に注入された電子と正孔の再結合によって生じた励起子によって所定の色の発光が生じる。このとき、本実施形態においては、能動的調光層１０４ｃには電圧が印加され、能動的調光層１０４ｃの光透過率が低くなっている。この状態では、有機ＥＬ発光素子１０４へ入射する環境光は、電極１０４ａ、有機ＥＬ発光層１０４ｂ、能動的調光層１０４ｃ及び電極１０４ｄを通過し、それぞれ反対側面から出射される。
【００２２】
図１（Ｂ）は、黒の表示を行う場合、すなわち、有機ＥＬ発光層１０４ｂを発光させない場合の動作状態を示している。黒表示を行う場合は、能動的調光層１０４ｃの光透過率を下げることによって、有機ＥＬ素子１０４に入射する環境光が能動的調光層１０４ｃによって遮光又は減光される。本実施形態においては、能動的調光層１０４ｃはノーマリブラックモードで動作し、すなわち、能動的調光層１０４ｃに電圧が印加されないときに、光透過率が低くなるようにしている。よって、有機ＥＬ素子１０４へ入射する環境光は、反対側面から出射されないか又は減光され、環境光からの影響がない又は少ない黒色表示を行うことができる。このように、能動的調光層１０４ｃの光透過率を下げることにより黒色を表示したい領域の光透過率を局所的に下げることができ、良好な黒表示を行うことができる。
【００２３】
図２は、本実施形態に係る本発明の有機ＥＬ表示装置１００の有機ＥＬ発光素子１０４の動作を説明する図である。本実施形態においては、有機ＥＬ発光素子１０４と能動的調光層１０４ｃとを一体として制御する。電極１０４ａ及び電極１０４ｄに印加される電圧をＶとし、有機ＥＬ発光層１０４ｂの発光開始電圧をＸ１、能動的調光層１０４ｃの光透過率の変化が生じるしきい値電圧をＸ２とする。本実施形態においては、有機ＥＬ発光素子１０４の動作を以下のとおり制御することができる。
（ａ）黒表示を行う場合（有機ＥＬ発光層１０４は発光せず、能動的調光層１０４ｃは遮光又は減光状態）
Ｘ２＞Ｖ
（ｂ）中間状態（有機ＥＬ発光層１０４は発光せず、能動的調光層１０４ｃの光透過率が変化し高くなっている状態）
Ｘ１＞Ｖ＞Ｘ２
（ｃ）色表示を行う場合（有機ＥＬ発光層１０４が発光、能動的調光層１０４ｃの光透過率が変化し高くなっている状態）
Ｖ＞Ｘ１
【００２４】
このように、有機ＥＬ発光層１０４ｂ及び能動的調光層１０４ｃの動作を電極１０４ａ及び１０４ｄに印加する電圧によって制御することができる。
【００２５】
次に、図３を参照し、本実施形態に係る本発明の有機ＥＬ表示装置１００の概略構成について説明する。図３に示すとおり、本実施形態に係る本発明の有機ＥＬ表示装置１００は、複数の画素ＰＩＸ、走査線駆動回路１２０、データ線駆動回路１３０、走査線ＬＳ１〜ＬＳｍ、データ線ＬＤ１〜ＬＤｎ及びコントローラ１４０を有する。なお、説明の便宜上、図３においては、４つの画素ＰＩＸ、走査線ＬＳ１〜ＬＳ３及びデータ線ＬＤ１〜ＬＤ３のみを示している。複数の画素ＰＩＸは、それぞれ、有機ＥＬ発光素子１０４、選択トランジスタＴＳ（１０６）、駆動トランジスタＴｄ（１０８）及び容量Ｃ（１１０）を有する。駆動トランジスタＴｄ（１０８）のソース又はドレインの一端には、有機ＥＬ発光素子１０４が接続されており、他端にはバイアス電圧Ｖｄが印加されている。走査線ＬＳは、制御トランジスタＴｓ（１０６）のゲートに接続されており、データ線ＬＤは、制御トランジスタＴｓ（１０６）のソース又はドレインに接続されている。画像データがコントローラ１４０に入力され、コントローラで処理され、データ線駆動回路１３０に送信される。コントローラ１４０から走査線駆動回路１２０に送信される走査信号は、走査線ＬＳ１〜ＬＳｍに印加され、各画素ＰＩＸが駆動される。データ線駆動回路１３０から出力されるデータ信号がデータ線ＬＤ１〜ＬＤｎに印加され、画素ＰＩＸが駆動される。なお、図３に示す画素ＰＩＸの回路構成は、本発明を実施する一例に過ぎず、有機ＥＬ発光素子１０４を動作させる種々の構成を採り得る。
【００２６】
次に図４を参照し、本実施形態に係る本発明の有機ＥＬ表示装置１００の画素ＰＩＸの構成を説明する。なお、図４に示す画素ＰＩＸの構成は一例に過ぎず、画素ＰＩＸは種々の構成を採り得る。
【００２７】
図４に示すとおり、駆動トランジスタＴｄ（１０８）は、絶縁膜１０４ｅ、半導体１０４ｆ、ゲート電極１０４ｇ、ゲート絶縁膜１０４ｈ及び透明電極１０４ａ（の一部）を有している。図３においては、基板１０２側に有機ＥＬ発光層１０４ｂを積層した例を示しているが、図１に示したように基板１０２側に能動的調光層１０４ｃを積層しても構わない。
【００２８】
なお、図３には、本実施形態に係る本発明の有機ＥＬ表示装置１００の例として、アクティブマトリクス型を例として採用したが、これに限定されるわけではなく、パッシブ型を採用してもよい。
【００２９】
また、本実施形態においては、両面出射型の有機ＥＬ表示装置を例にとって説明したが、本発明は片方出射型の有機ＥＬ表示装置に適用してもよい。
【００３０】
本実施形態に係る本発明の有機ＥＬ表示装置１００によると、黒表示を行う場合は、能動的調光層１０４ｃの光透過率を下げることによって、有機ＥＬ素子１０４に入射する環境光が能動的調光層１０４ｃによって遮光又は減光される。よって、有機ＥＬ素子１０４へ入射する環境光は、反対側面から出射されないか又は減光され、環境光からの影響がない又は少ない黒色表示を行うことができる。従って、能動的調光層１０４ｃの光透過率を下げることにより黒色を表示したい領域の光透過率を局所的に下げることができ、良好な黒表示を行うことができる。
【００３１】
（実施形態２）
本発明の実施形態２に係る有機ＥＬ表示装置について、図面を参照しながら詳細に説明する。
【００３２】
実施形態２に係る本発明の有機ＥＬ表示装置は、上述した実施形態１に係る本発明の有機ＥＬ表示装置１００とは、有機ＥＬ発光層用の電極と、能動的調光層の電極を分け、有機ＥＬ発光層用の電極と能動的調光層とを独立して制御することができるようにしている点で異なる。それ以外の実施形態１と同様な構成については、改めて説明しない場合があり、実施形態１の説明を援用することができる。
【００３３】
本発明の実施形態１に係る有機ＥＬ表示装置について、図面を参照しながら詳細に説明する。
【００３４】
図５を用いて本発明の実施形態２に係る有機ＥＬ表示装置の動作原理について説明する。図５には、本発明の実施形態２に係る有機ＥＬ表示装置２００における有機ＥＬ素子２０４の概略構成が示されている。なお、説明の便宜上、図５には、本発明の一実施形態に係る有機ＥＬ表示装置２００の構成の一部を示している。
【００３５】
図５に示すとおり、本実施形態に係る本発明の有機ＥＬ表示装置２００は、複数の有機ＥＬ素子２０４及び基板２０２を有している。有機ＥＬ素子２０４は、それぞれ、電極２０４ａ、有機ＥＬ発光層２０４ｂ、有機ＥＬ用電極２０４ｃ、絶縁膜２０４ｄ、能動的調光層用電極２０４ｅ、能動的調光層２０４ｆ、能動的調光層用電極２０４ｇを有している。本実施形態においては、有機ＥＬ用電極２０４ｃは複数の有機ＥＬ素子２０４において共通である。なお、電極２０４ａ、有機ＥＬ発光層２０４ｂ及び有機ＥＬ用電極２０４ｃを含む素子を有機ＥＬ発光素子とし、能動的調光層用電極２０４ｅ、能動的調光層２０４ｆ及び能動的調光層用電極２０４ｇを含む素子を能動的調光素子と表現してもよい。
【００３６】
有機ＥＬ素子２０４の有機ＥＬ用電極２０４ａ及び電極２０４ｃに電圧が印加され、有機ＥＬ発光層２０４ｂ中に注入された電子と正孔の再結合によって生じた励起子によって発光が生じる。能動的調光層２０４ｆは、実施形態１と同様、能動的調光層用電極２０４ｅ及び２０４ｇに印加される外部からの電場によって光透過率が可逆的に変化する機能を有する層である。本実施形態においては、能動的調光層２０４ｆはノーマリブラックモード、すなわち、能動的調光層２０４ｃに電圧が印加されないときに、光透過率が低くなるようなモードを採用している。一方、能動的調光層２０４ｆはノーマリホワイトモード、すなわち、能動的調光層２０４ｆに電圧が印加されるときに、光透過率が低くなるようなモードを採用してもよい。
【００３７】
また、本実施形態においては、外部から電場を印加し、光透過率を変化させる能動的調光層２０４ｆを用いている。よって、本実施形態の能動的調光層２０４ｆの例としては、エレクトロウェッティング層、液晶層などを用いるようにしてもよい。    
【００３８】
図５（Ａ）は、黒以外の表示を行う場合、すなわち、有機ＥＬ発光層２０４ｂを発光させ、所望の色表示を行う場合の動作状態を示している。有機ＥＬ素子２０４の有機ＥＬ用電極２０４ａ及び有機ＥＬ用電極２０４ｃに電圧が印加され、有機ＥＬ発光層２０４ｂ中に注入された電子と正孔の再結合によって生じた励起子によって所定の色の発光が生じる。このとき、本実施形態においては、能動的調光層用電極２０４ｅ及び２０４ｇに電圧が印加されることにより能動的調光層２０４ｆには電圧が印加され、能動的調光層２０４ｆの光透過率が低くなっている。この状態では、有機ＥＬ発光素子２０４へ入射する環境光は、電極２０４ａ、有機ＥＬ発光層２０４ｂ、有機ＥＬ用電極２０４ｃ、絶縁膜２０４ｄ、能動的調光層用電極２０４ｅ、能動的調光層２０４ｆ及び能動的調光層用電極２０４ｇを通過し、それぞれ反対側面から出射される。
【００３９】
図５（Ｂ）は、黒の表示を行う場合、すなわち、有機ＥＬ発光層２０４ｂを発光させない場合の動作状態を示している。黒表示を行う場合は、能動的調光層２０４ｆの光透過率を下げることによって、有機ＥＬ素子２０４に入射する環境光が能動的調光層２０４ｆによって遮光又は減光される。本実施形態においては、能動的調光層２０４ｆはノーマリブラックモードで動作し、すなわち、能動的調光層２０４ｆに電圧が印加されないときに、光透過率が低くなるようにしている。よって、有機ＥＬ素子２０４へ入射する環境光は、反対側面から出射されないか又は減光され、環境光からの影響がない又は少ない黒色表示を行うことができる。このように、能動的調光層２０４ｃの光透過率を下げることにより黒色を表示したい領域の光透過率を局所的に下げることができ、良好な黒表示を行うことができる。
【００４０】
図２は、本実施形態に係る本発明の有機ＥＬ表示装置２００の有機ＥＬ発光素子２０４の動作を説明する図である。本実施形態においては、有機ＥＬ発光素子２０４と能動的調光層２０４ｆとを独立して制御する。有機ＥＬ用電極２０４ａ及び２０４ｃに印加される電圧をＶ１（発光強度制御電圧）とし、能動的調光層用電極２０４ｅ及び２０４ｇに印加される電圧をＶ２（能動的調光層光透過率制御電圧）としている。
【００４１】
このように、本実施形態においては、有機ＥＬ発光層２０４ｂ及び能動的調光層２０４ｆの動作を独立して制御することができる。
【００４２】
次に、図７を参照し、本実施形態に係る本発明の有機ＥＬ表示装置２００の概略構成について説明する。図７に示すとおり、本実施形態に係る本発明の有機ＥＬ表示装置２００は、複数の画素ＰＩＸ、走査線駆動回路２２０、データ線駆動回路２３０、走査線ＬＳ１〜ＬＳｍ、データ線ＬＤ１〜ＬＤｎ及びコントローラ２４０を有する。なお、説明の便宜上、図７においては、４つの画素ＰＩＸ、走査線ＬＳ１〜ＬＳ３及びデータ線ＬＤ１〜ＬＤ３のみを示している。複数の画素ＰＩＸは、それぞれ、有機ＥＬ発光素子２０４（有機ＥＬ発光層、能動的調光層を含む。有機ＥＬ発光素子２０４ａ〜２０４ｃ、能動的調光素子２０４ｅ〜２０４ｇとしてもよい。）、選択トランジスタＴＳ（２０６）、駆動トランジスタＴｄ（２０８）及び容量Ｃ（２１０）を有する。駆動トランジスタＴｄ（２０８）のソース又はドレインの一端には、有機ＥＬ発光素子２０４が接続されており、他端にはバイアス電圧Ｖｄが印加されている。走査線ＬＳは、制御トランジスタＴｓ（２０６）のゲートに接続されており、データ線ＬＤは、制御トランジスタＴｓ（２０６）のソース又はドレインに接続されている。画像データがコントローラ２４０に入力され、コントローラで処理され、データ線駆動回路２３０に送信される。コントローラ２４０から走査線駆動回路２２０に送信される走査信号は、走査線ＬＳ１〜ＬＳｍに印加され、各画素ＰＩＸが駆動される。データ線駆動回路２３０から出力されるデータ信号がデータ線ＬＤ１〜ＬＤｎに印加され、画素ＰＩＸが駆動される。なお、図７に示す画素ＰＩＸの回路構成は、本発明を実施する一例に過ぎず、有機ＥＬ発光素子２０４を動作させる種々の構成を採り得る。
【００４３】
次に図８を参照し、本実施形態に係る本発明の有機ＥＬ表示装置２００の画素ＰＩＸの構成を説明する。なお、図８に示す画素ＰＩＸの構成は一例に過ぎず、画素ＰＩＸは種々の構成を採り得る。
【００４４】
図８に示すとおり、駆動トランジスタＴｄ（２０８）は、絶縁膜２０４ｈ、２０４ｉ及び２０４ｋ、半導体２０４ｊ、ゲート電極（透明電極２０４ｌのうち、半導体２０４ｊの上に張り出している部分がゲート電極として機能する）、透明電極２０４ａ、２０４ｃ、２０４ｌ及び２０４ｍを有している。容量２１０は、誘電体２１０ｂ、電極２１０ａ及び電極２０４ｌ（の一部）を有する。なお、図示しないが、透明電極２０４ｍと電極２１０ａとがスルーホールを介して電気的に接続されている。図８においては、基板２０２側に有機ＥＬ発光層２０４ｂを積層した例を示しているが、図５に示したように基板２０２側に能動的調光層１０４ｃを積層しても構わない。
【００４５】
なお、図８には、本実施形態に係る本発明の有機ＥＬ表示装置２００の例として、アクティブマトリクス型を例として採用したが、これに限定されるわけではなく、パッシブ型を採用してもよい。
【００４６】
また、本実施形態においては、両面出射型の有機ＥＬ表示装置を例にとって説明したが、本発明は片方出射型の有機ＥＬ表示装置に適用してもよい。
【００４７】
本実施形態に係る本発明の有機ＥＬ表示装置２００によると、黒表示を行う場合は、能動的調光層２０４ｆの光透過率を下げることによって、有機ＥＬ素子２０４に入射する環境光が能動的調光層２０４ｆによって遮光又は減光される。よって、有機ＥＬ素子２０４へ入射する環境光は、反対側面から出射されないか又は減光され、環境光からの影響がない又は少ない黒色表示を行うことができる。従って、能動的調光層２０４ｆの光透過率を下げることにより黒色を表示したい領域の光透過率を局所的に下げることができ、良好な黒表示を行うことができる。
【符号の説明】
【００４８】
１００  有機ＥＬ表示装置
１０２  基板
１０４  有機ＥＬ素子
１０４ａ  電極
１０４ｂ  有機ＥＬ発光層
１０４ｃ  能動的調光層
１０４ｄ  電極
２００  有機ＥＬ表示装置
２０２  基板
２０４  有機ＥＬ素子
２０４ａ  電極
２０４ｂ  有機ＥＬ発光層
２０４ｃ  有機ＥＬ用電極
２０４ｄ  絶縁膜
２０４ｅ  能動的調光層用電極
２０４ｆ  能動的調光層２０４ｆ
２０４ｇ  能動的調光層用電極２０４ｇ
【図１】
0005956149.tif 000002
【図２】
0005956149.tif 000003
【図３】
0005956149.tif 000004
【図４】
0005956149.tif 000005
【図５】
0005956149.tif 000006
【図６】
0005956149.tif 000007
【図７】
0005956149.tif 000008
【図８】
0005956149.tif 000009